(57)【要約】本発明は、複合された運動、すなわち弧状の運動とブレードの、非円状の回転をする化粧裁ちブレードを有する、本の、新規な化粧裁ち機械である。この機械は、化粧裁ちの間、シートを水平位置に保つ交換可能な中央の押圧装置を備えている。支持テーブルが、本の前進方向に平行な軸線を有するヒンジ結合された２つの部分によって構成されている。本が一旦化粧裁ちされると、前記の２つの部分は、裁ちくずを除去するために下方に回転させられる。横転する平板部が、支持テーブルの、前記の２つの側部の間に位置し、本がブレードによって化粧裁ちされる時に、持ち上げられて支持テーブルの前記の２つの部分に揃えられる。本を支持テーブルに向かって搬送する搬送ベルトの前部が、本を支持テーブル上に搬送し、その後、本の、背とは反対側の縁の裁ちくずを落下させるために離れるように移動するローラの周りをスライドする。
2004523373.tif 000002
【特許請求の範囲】
【請求項１】
本の化粧裁ち機械において、
ブレードキャリアに、切断刃からの距離が異なる位置でヒンジ結合されたロッド（Ｂ１およびＢ２）によって連結されて取り付けられた化粧裁ちブレード（Ｌ１およびＬ２）を有することを特徴とする、本の化粧裁ち機械。
【請求項２】
本の化粧裁ち機械において、
本（Ｆ）が置かれた支持テーブル（Ｐ）に対する高さが異なる位置でヒンジ結合されたロッド（Ｂ１およびＢ２）に取り付けられた化粧裁ちブレード（Ｌ１およびＬ２）を有することを特徴とする、本の化粧裁ち機械。
【請求項３】
弾性部材（Ｔｐ）または圧縮空気の詰まった部材が取り付けられた支持部（Ｔｓ）によって構成された、化粧裁ちする本のシートを押圧する中央の押圧装置を備え、該押圧装置は、前記ブレードが作動させられる前に前記本上に下げられ、前記押圧装置の移動距離は前記本のサイズに応じて自動的に調節されることを特徴とする、請求項１，２に記載の、本の化粧裁ち機械。
【請求項４】
前記弾性部材（Ｔｐ）は、互いに、および前記支持部に連結された、本の縁に平行な２つの縁を有し、その結果、断面が滴の形状になった連結された弾性材料層によって構成されていることを特徴とする、請求項３に記載の、本の化粧裁ち機械。
【請求項５】
連結ピン（Ｐａ）が固定された延長部（Ｐｌ）を移動させるピストン（Ｐｔ）を有する、本のシートを押圧する中央の押圧装置と前部の押圧装置を備えていることを特徴とする、請求項１，２に記載の、本の化粧裁ち機械。
【請求項６】
本のサイズに応じて取り替えることができる押圧部材（Ｐｉ）が前記連結ピン（Ｐａ）上にあることを特徴とする、請求項５に記載の、本の化粧裁ち機械。
【請求項７】
本を保持して支持テーブル上に移動させる位置決め装置（Ｃ）を備え、該位置決め装置は前記支持テーブルの中央のスロット上をスライドすることを特徴とする、請求項４，６に記載の、本の化粧裁ち機械。
【請求項８】
前記位置決め装置（Ｃ）は、化粧裁ちする本を受け取り、その後、前方に移動して前記本を前記化粧裁ちブレードの方へ搬送し、前に化粧裁ちされた本を、前記ブレードを越えて押し、前記本を、一旦化粧裁ちされた後に離し、下方に動き、後方に移動し、上方に動き、化粧裁ちする次の本を受け取ることを特徴とする、請求項７に記載の、本の化粧裁ち装置。
【請求項９】
前記支持テーブル（Ｐ）は、前記位置決め装置（Ｃ）の経路の近くの水平な軸線を有するヒンジ結合された２つの部分（Ｐ２）によって構成され、前記位置決め装置は、前記支持テーブルの前記２つの部分の間をスライドし、前記支持テーブルの前記２つの部分は、本が前記テーブル上を移動させられる全期間の間、水平位置に保たれ、前記ブレードによって化粧裁ち操作が行われた後、前記２つの部分は、裁ちくずを重力の働きに基づいて、または吹き飛ばすことによって除去するために下方に回転させられることを特徴とする、請求項４，６，７，８に記載の、本の化粧裁ち装置。
【請求項１０】
前記支持テーブルの前記２つの部分の間に囲まれた、本の前進方向に平行な軸線を有するヒンジ結合された横転する中央の平板（Ｐ１）を備え、横転する中央の該平板は、通常、前記位置決め装置（Ｃ）の通路を形成するように下げられているが、本を前記ブレートによって化粧裁ちする時に持ち上げられて前記支持テーブルの前記２つの部分に揃えられることを特徴とする、請求項４，６，９に記載の、本の化粧裁ち機械。
【請求項１１】
本を前記支持テーブル上に移動させる搬送ベルト（Ｎ）の前部が３つのローラ（Ｇ１，Ｇ２，Ｇ３）の周りをスライドし、これらのうちの上方の２つのローラ（Ｇ１，Ｇ２）は前記ベルトの端部を前記支持テーブルに近づけ、または前記支持テーブルから遠ざけるように移動し、前記搬送ベルトの端部は、本を前記テーブル上に移動させるために前記支持テーブルの近くに動かされ、その後、前記本の、背とは反対側の縁の裁ちくずを、前記支持テーブルと前記ベルトの端部の間に落とすために、前記支持テーブルから離されることを特徴とする、請求項４，６，１０に記載の、本の化粧裁ち機械。
【請求項１２】
前記ブレード（Ｌ１およびＬ２）の各々は、前記ブレードガイド（Ｌｇ）および前記ブレード（Ｌ１およびＬ２）がスライドするのを案内する固定された２つの側方ブロック（Ｌｐ）の間をスライドするブレードガイド（Ｌｇ）に、少なくとも１つの連結横断部材（Ｌｃ）を介して連結され、それによって正確な切断が保証されていることを特徴とする、請求項４，６，８，９，１０，１１に記載の、本の化粧裁ち機械。
【請求項１３】
前記側方ブロックの少なくとも１つは、当該側方ブロック（Ｌｐ）を部品の任意の摩耗を補償するように移動させることができるようにするピン（Ｋ）を用いて調節することができることを特徴とする、請求項１１に記載の、本の化粧裁ち機械。
【請求項１４】
前記ブレードのユニットの少なくとも１つのガイドピン（Ｐｇａ，Ｐｇｐ）を備えており、該ピンは１つまたは２つ以上のモータ（Ｍｏ）によって回転させられることを特徴とする、請求項４，６，９，１０，１１，１２，１３に記載の、本の化粧裁ち機械。
【発明の詳細な説明】
【技術分野】
【０００１】
本発明は、本およびシートの綴じ機械の分野に関し、特に、複合された運動をするブレードを備える、本およびシートの化粧裁ち機械に関する。
【背景技術】
【０００２】
本、連、ペーパーバックなどを化粧裁ちする自動機械が公知である。これらの機械は、化粧裁ちの全工程の間、本を搬送する１つまたは２つ以上の可動テーブル、化粧裁ちする本用の支持テーブル、および１つまたは２つ以上の化粧裁ちブレードユニットを主として有している。押圧部材、すなわち、鉛直方向に移動させられ、一緒に押圧される様々なシートを切断点の近くに保つ硬い平板が各ブレードに並んで設けられている。これらの押圧部材は、ブレードが作動させられる直前にシート上に載せられ、シートを押圧する。
【０００３】
化粧裁ちする本またはシートのセットが位置決め装置によって背で揃えられ、このテーブル上へと搬送される。
【０００４】
背とは反対側の縁が第１のブレードによって化粧裁ちされ、続いて、この本またはシートのセットは、各々が斜め下方に移動するようにガイドに取り付けられた平行な２つのブレードによって他の側部も化粧裁ちされる。
【０００５】
本の、上部と下部の２つの縁、すなわち背に隣接する縁が前述の平行なブレードによって化粧裁ちされる。
【発明の開示】
【発明が解決しようとする課題】
【０００６】
しかしながら、本およびシートの、公知の化粧裁ち機械には一連の欠点がある。
【０００７】
平行な２つのブレードの運動は斜め下方への移動である。この運動は、ブレードに、このブレードによって描かれる運動経路の各点でこのブレード自身に対して常に平行に縁を切断させ、したがって、常には十分でない切断が行なわれる。
【０００８】
完全な切断を行なうためには、ブレードの、背から最も遠い部分の、下方への移動距離がブレードの、背に最も近い部分の移動距離より長い必要がある。
【０００９】
他の欠点は、押圧部材と、背に隣接する上部および下部の縁を切断するブレードがシート上に載った時の、シートの反応に関するものである。すなわち、シートは、その外側の縁を押圧された時、中央のところで持ち上げられる傾向がある。化粧裁ちする本またはシートのセットが薄く広いほど、シートは中央のところでより持ち上げられる。
【００１０】
他の欠点は、前の化粧裁ち操作によって生じた裁ちくずが支持テーブル上に残り、したがって、次の本またはシートのセットの運動を妨げ、じゃまになり、明らかに好ましくない結果を生じるということである。
【課題を解決するための手段】
【００１１】
上記の問題および欠点を解消するために、複合された運動をするブレードを備える、本およびシートの新規な化粧裁ち機械を構成し、提供する。
【００１２】
この新規な化粧裁ち機械は、切断刃が、弧を描く運動と非円状の回転を含む複合された運動をするように、異なる構成のロッドに取り付けられた、背に隣接する縁を化粧裁ちするブレードを有している。
【００１３】
この新規な化粧裁ち機械は、化粧裁ちする本またはシートのセットの上面に均一な圧力をかけ、押圧する表面に応じて自動的に調節される新規な中央の装置を備えている。
【００１４】
この新規な化粧裁ち機械は、横転するテーブルによって構成された、シートの、化粧裁ちされた部分を除去する装置も備えている。
【００１５】
この新規な化粧裁ち機械の主要な目的は、本またはシートのセットの縁を正確に切断することにある。
【００１６】
この新規な化粧裁ち機械の他の目的は、化粧裁ちしている間および化粧裁ちした後、全てのシートを完全に水平に、かつ、ずれないようにすることにある。
【００１７】
この新規な化粧裁ち機械の他の目的は、前の化粧裁ちの残留物を次の本またはシートのセットの化粧裁ちを実施する前に完全に除去することにある。
【００１８】
上述の全ての目的は、本発明の主題であり、主要な部品が、多くの可能な適用例の１つについての、添付の図面を参照しての以下の記載に示されている新規な化粧裁ち機械の構成によって達成される。
【発明を実施するための最良の形態】
【００１９】
図１，２，３は新規な機械の側面図であり、これらの図では、本の、背とは反対側の縁を化粧裁ちする前方のブレード（Ｌ１）と、本の、背に隣接する縁を化粧裁ちする平行な２つのブレード（Ｌ２）の一方を見ることができる。これら３つの図は、２つの平行なブレード（Ｌ２）の運動の、主要な３つの瞬間を示している。
【００２０】
ブレード（Ｌ２）が、連結部材として働く２つのロッド（Ｂ１，Ｂ２）にヒンジ結合されているのを見ることができる。一方のロッド（Ｂ２）は、ブレード（Ｌ２）の運動を生成する機構と連結されている（Ｂ２ｍ）。
【００２１】
特に、２つのロッド（Ｂ１，Ｂ２）の、機械の機構部（Ｍ）上のヒンジ点（Ｂｒ１，Ｂｒ２）が、支持テーブル（Ｐ）に平行な線上にあるのではなく、ロッド（Ｂ１）は、ロッド（Ｂ２）のヒンジ点より下方に位置するヒンジ点（Ｂｒ１）を有している。
【００２２】
この構成およびヒンジによる拘束のために、ブレード（Ｌ２）は、複合運動、すなわち、弧（Ｘ）を描く移動運動とブレード（Ｌ２）自身の回転運動を行なう。
【００２３】
これらの図では、本発明の基本的な構想を明瞭にするために、距離が強調されている。
【００２４】
平行な２つのブレード（Ｌ２）のロッドは、平行な２つのブレード（Ｌ２）の間の距離を、化粧裁ちする本またはシートのセット（Ｆ）のサイズに合わせるように手動で、または自動的に調節できるようにする反対方向の２つのねじ山を備える、図６および８に示されている前方のガイドピン（Ｐｇａ）と後方のガイドピン（Ｐｇｐ）（ウォームねじ）によって機械の機構部（Ｍ）に連結されている。
【００２５】
これらの図において、本（Ｆ）の、背とは反対側の縁を切断することによって生じる裁ちくず（Ｆ）を取り除き、すなわち除去する装置を見ることができる。この装置の前部、すなわち終端部において、本（Ｆ）またはシートのセットを支持テーブル（Ｐ）に搬送する搬送ベルト（Ｎ）が３つのローラ（Ｇ１，Ｇ２，Ｇ３）の周りをスライドし、これらのうちの上方の２つのローラ（Ｇ１，Ｇ２）が搬送ベルト（Ｎ）の端部を支持テーブル（Ｐ）に近づけるように、または支持テーブル（Ｐ）から遠ざけるように移動する（図１および図２参照）。このようにして、搬送ベルト（Ｎ）の端部は、支持テーブル（Ｐ）の近くに動かされて本（Ｆ）を支持テーブル（Ｐ）上に移動させ、続いて、裁ちくずを支持テーブル（Ｐ）とベルト（Ｎ）の端部の間に落とすように支持テーブル（Ｐ）から離される。
【００２６】
図４は、この新規な機械の正面図であり、この図では、支持テーブル（Ｐ）、本を搬送する位置決め装置（Ｃ）、および本またはシートのセットの下方の縁と上方の縁を化粧裁ちする平行な２つのブレード（Ｌ２）を見ることができる。
【００２７】
この図において、本（Ｆ）のシートを、それらが化粧裁ちされている間、押圧した状態に保つ機能を有する、ブレード（Ｌ２）と並んだ２つの押圧部材（Ｓ）、本（Ｆ）の上面を押圧する中央の押圧装置（Ｔ）、および支持テーブル（Ｐ）の特殊な形状を見ることができる。
【００２８】
この押圧装置は、弾性部材、例えば連結された弾性材料層（Ｔｐ）が取り付けられた支持部（Ｔｓ）を有している。これらの弾性材料層（Ｔｐ）は、互いに連結されたゴムシートによって構成され、互いに、および支持部（Ｔｓ）に連結された、本（Ｆ）の両縁に平行な２つの縁を有しており、その結果、断面が滴の形状になっている。
【００２９】
上述の押圧装置（Ｔ）は、平行なブレード（Ｌ２）が作動させられる前に、本またはシートのセット（Ｆ）上へと下げられる（図５）。押圧装置（Ｔ）の鉛直方向の移動は自動的に調節され、本またはシートのセット（Ｆ）のサイズに合わせられる。
【００３０】
弾性材料層（Ｔｐ）は、本またはシートのセット（Ｆ）上に押圧されると、本（Ｆ）またはシートのセットの上面に、側部の化粧裁ちのマージンを除いて完全にくっつく。
【００３１】
したがって、本（Ｆ）またはシートのセットの縁が押圧部材（Ｓ）によって押圧される際、シートの中央部分が持ち上げられることはない。
【００３２】
支持テーブル（Ｐ）は、１つの中央部（Ｐ１）と２つの側部（Ｐ２）の、３つの部分（Ｐ１，Ｐ２）を有している。支持テーブル（Ｐ）の３つの部分（Ｐ１，Ｐ２）はヒンジ結合され、これらの軸線は、本（Ｆ）またはシートのセットの前進方向と平行である。
【００３３】
中央部（Ｐ１）は、通常、本（Ｆ）を搬送する位置決め装置（Ｃ）の通路を形成するように下げられているが、押圧装置（Ｔ）が下げられ、ブレード（Ｌ１，Ｌ２）によって化粧裁ち操作が行われる際、持ち上げられ、他の２つの側部（Ｐ２）と揃えられる。
【００３４】
２つの側部（Ｐ２）は、本（Ｆ）またはシートのセットがテーブル（Ｐ）上に移動させられ、ブレード（Ｌ１，Ｌ２）によって化粧裁ちが行われる間の全期間の間、水平位置に保たれ、その後、テーブル（Ｐ）の側部（Ｐ２）は、重力の働きに基づいて、および支持テーブル（Ｐ）から吹き飛ばすことによって裁ちくずを除去するために、下方に回転させられる（図の破線）。
【００３５】
図６は、連結ピン（Ｐａ）が固定された延長部（Ｐｌ）を動かすピストン（Ｐｔ）を有する、押圧装置の他の構成を示している。本またはシートのセットのサイズに応じて取り替えることができる平板（Ｐｉ）が前述の連結ピン（Ｐａ）に連結されている。固定された２つの側方ブロック（Ｌｐ）の間をスライドするブレードガイド（Ｌｇ）に連結横断部材（Ｌｃ）によって連結されたブレード（Ｌ２）を見ることができる。
【００３６】
ブレードガイドとブレードのスライド運動が上述の、固定された側方ブロックによって案内され、それによって、正確な切断が保証されている。
【００３７】
外側の側方ブロック（Ｌｐ）は、当該ブロックを、部品の任意の摩耗を補償するように移動させることができるようにするピン（Ｋ）を用いて調節することができる。これらのピン（Ｋ）は、側方のブレード（Ｌ２）の案内に用いられ、前方のブレード（Ｌ１）のユニットにも用いられている同一の解決策を示す図７においても見えている。
【００３８】
図６は、ブレード（Ｌ２）のユニットを移動させるのに適した前方のガイドピン（Ｐｇａ）も示している。
【００３９】
図８は、ベルト（Ｃｇ）を用いて前方のガイドピン（Ｐｇａ）と後方のガイドピン（Ｐｇｐ）に運動を伝達するモータ（Ｍｏ）を示している。
【００４０】
上述したのは、技術者が効果を得ることが可能な、本発明の基本的な概要である。装置を構成する際に必要な場合がある任意の変更は、本発明によって完全に保護されているとみなされるべきであり、本明細書に記載した同一の革新的な構想に基づくものと規定されるべきである。
【００４１】
したがって、上記の記載と添付の図面を参照して、添付の請求項が提示される。
【国際公開パンフレット】
2004523373.tif 000003
2004523373.tif 000004
2004523373.tif 000005
2004523373.tif 000006
2004523373.tif 000007
2004523373.tif 000008
2004523373.tif 000009
2004523373.tif 000010
2004523373.tif 000011
2004523373.tif 000012
2004523373.tif 000013
2004523373.tif 000014
2004523373.tif 000015
2004523373.tif 000016
【国際公開パンフレット（コレクトバージョン）】
2004523373.tif 000017
【国際調査報告】
2004523373.tif 000018
2004523373.tif 000019
2004523373.tif 000020
2004523373.tif 000021
2004523373.tif 000022